【手続補正書】
【提出日】平成20年10月21日(2008.10.21)
【手続補正１】
【補正対象書類名】明細書
【補正対象項目名】特許請求の範囲
【補正方法】変更
【補正の内容】
【特許請求の範囲】
【請求項１】  車両の走行案内を行うナビゲーション装置において、
車両の進むべき方向の道路上に交通情報が存在することを検出する交通情報検出手段と、
前記交通情報検出手段により交通情報が存在することが検出されると、前記車両の進むべき方向の道路上の前記交通情報の位置よりも手前にある交差点に関する地図であって、前記走行案内を行なう地図より詳細な地図を提供する交差点情報提供手段を備えたことを特徴とするナビゲーション装置。
【請求項２】  車両の走行案内を行うナビゲーション装置において、
交通情報を検出する交通情報検出手段と、
前記交通情報検出手段により検出される交通情報に基づき、前記交通情報の位置よりも手前にある交差点に関するレーン情報を提供する交差点情報提供手段を備えたことを特徴とするナビゲーション装置。
【請求項３】  車両の走行案内を行うナビゲーション装置において、
予め設定された経路上に交通情報が存在することを検出する交通情報検出手段と、
前記交通情報検出手段により検出される交通情報に基づき、前記経路を表示した地図とともに、前記経路上の交通情報の位置よりも手前にある交差点を含む地図を２画面で表示する交差点情報提供手段とを備えることを特徴とするナビゲーション装置。
【請求項４】  車両の走行案内を行うナビゲーション装置において、
予め設定された経路上に交通情報が存在することを検出する交通情報検出手段と、
前記交通情報検出手段により検出される交通情報に基づき、前記経路を表示した地図とともに、前記経路上の交通情報の位置および該位置よりも手前にある交差点を含む地図を２画面で表示する交差点情報提供手段とを備えることを特徴とするナビゲーション装置。
【請求項５】  前記交通情報の位置よりも手前にある交差点を含む地図表示において、該交差点の詳細情報を表示することを特徴とする請求項３または請求項４に記載のナビゲーション装置。
【請求項６】  車両の走行案内を行うナビゲーション装置において、
予め設定された経路上に交通情報が存在することを検出する交通情報検出手段と、
前記交通情報検出手段により検出される交通情報に基づき、前記経路を表示した地図とともに、前記経路上の交通情報の位置および自車位置を含む地図を２画面で表示する手段とを備えることを特徴とするナビゲーション装置。
【請求項７】  車両の走行案内を行うナビゲーション装置において、
操作手段と、該操作手段の操作状態に基づき選択された経路案内中の道路上の右左折交差点に関する詳細情報を提供する提供手段を備えたことを特徴とするナビゲーション装置。
【請求項８】  車両の走行案内を行うナビゲーション装置において、
操作手段と、該操作手段の操作状態に基づき選択された車両の進行方向における走行道路上の交差点に関する詳細情報を提供する提供手段を備えたことを特徴とするナビゲーション装置。
【請求項９】  車両の走行案内を行うナビゲーション装置において、
画像を表示する表示手段と、操作手段と、該操作手段の操作状態に基づき選択された表示手段内の交差点に関する詳細情報を提供する提供手段を備えたことを特徴とするナビゲーション装置。
【請求項１０】  前記提供手段は、
前記操作手段の第１の操作状態に基づき、前記右左折交差点についてのリストを表示または音声にて出力し、該操作手段の第２の操作状態により前記リストの中から所定の右左折交差点が選択されると前記提供手段は該所定の右左折交差点の詳細情報を提供することを特徴とする請求項７に記載のナビゲーション装置。
【請求項１１】  前記提供手段は、
前記操作手段の第１の操作状態に基づき、前記走行道路上の交差点についてのリストを表示または音声にて出力し、該操作手段の第２の操作状態により前記リストの中から所定の走行道路上の交差点が選択されると前記提供手段は該所定の走行道路上の交差点の詳細情報を提供することを特徴とする請求項８に記載のナビゲーション装置。
【請求項１２】  前記交差点は、
前記表示手段に表示された交差点の位置に予め目印が表示されてなることを特徴とする請求項１〜５に記載のナビゲーション装置。
【請求項１３】  前記交差点に関する詳細な地図は、
前記車両の位置から該交差点までの距離、該交差点の名称、該交差点のレーン状況等を含むことを特徴とする請求項１に記載のナビゲーション装置。
【手続補正２】
【補正対象書類名】明細書
【補正対象項目名】０００５
【補正方法】変更
【補正の内容】
【０００５】  
【課題を解決するための手段】
上記目的を達成するために、本発明は、車両の走行案内を行うナビゲーション装置において、車両の進むべき方向の道路上に交通情報が存在することを検出する交通情報検出手段と、前記交通情報検出手段により交通情報が存在することが検出されると、前記車両の進むべき方向の道路上の前記交通情報の位置よりも手前にある交差点に関する地図であって、前記走行案内を行なう地図より詳細な地図を提供する交差点情報提供手段を備えるものである。
【手続補正３】
【補正対象書類名】明細書
【補正対象項目名】０００６
【補正方法】変更
【補正の内容】
【０００６】
また、交通情報を検出する交通情報検出手段と、前記交通情報検出手段により検出される交通情報に基づき、前記交通情報の位置よりも手前にある交差点に関するレーン情報を提供する交差点情報提供手段を備えるものである。
【手続補正４】
【補正対象書類名】明細書
【補正対象項目名】０００７
【補正方法】変更
【補正の内容】
【０００７】
また、予め設定された経路上に交通情報が存在することを検出する交通情報検出手段と、前記交通情報検出手段により検出される交通情報に基づき、前記経路を表示した地図とともに、前記経路上の交通情報の位置よりも手前にある交差点を含む地図を２画面で表示する交差点情報提供手段とを備えるものである。
【手続補正５】
【補正対象書類名】明細書
【補正対象項目名】０００８
【補正方法】変更
【補正の内容】
【０００８】
また、予め設定された経路上に交通情報が存在することを検出する交通情報検出手段と、前記交通情報検出手段により検出される交通情報に基づき、前記経路を表示した地図とともに、前記経路上の交通情報の位置および該位置よりも手前にある交差点を含む地図を２画面で表示する交差点情報提供手段とを備えるものである。
【手続補正６】
【補正対象書類名】明細書
【補正対象項目名】０００９
【補正方法】変更
【補正の内容】
【０００９】
また、前記交通情報の位置よりも手前にある交差点を含む地図表示において、該交差点の詳細情報を表示するものである。
【手続補正７】
【補正対象書類名】明細書
【補正対象項目名】００１０
【補正方法】変更
【補正の内容】
【００１０】
また、予め設定された経路上に交通情報が存在することを検出する交通情報検出手段と、前記交通情報検出手段により検出される交通情報に基づき、前記経路を表示した地図とともに、前記経路上の交通情報の位置および自車位置を含む地図を２画面で表示するものである。
【手続補正８】
【補正対象書類名】明細書
【補正対象項目名】００１１
【補正方法】変更
【補正の内容】
【００１１】
また、操作手段と、該操作手段の操作状態に基づき選択された経路案内中の道路上の右左折交差点に関する詳細情報を提供する提供手段を備えるものである。また、操作手段と、該操作手段の操作状態に基づき選択された車両の進行方向における走行道路上の交差点に関する詳細情報を提供する提供手段を備えるものである。
【手続補正９】
【補正対象書類名】明細書
【補正対象項目名】００１２
【補正方法】変更
【補正の内容】
【００１２】
また、画像を表示する表示手段と、操作手段と、該操作手段の操作状態に基づき選択された表示手段内の交差点に関する詳細情報を提供する提供手段を備えるものである。
【手続補正１０】
【補正対象書類名】明細書
【補正対象項目名】００１３
【補正方法】変更
【補正の内容】
【００１３】
また、前記提供手段は、前記操作手段の第１の操作状態に基づき、前記右左折交差点についてのリストを表示または音声にて出力し、該操作手段の第２の操作状態により前記リストの中から所定の右左折交差点が選択されると前記提供手段は該所定の右左折交差点の詳細情報を提供するものである。
【手続補正１１】
【補正対象書類名】明細書
【補正対象項目名】００１４
【補正方法】変更
【補正の内容】
【００１４】
また、前記提供手段は、前記操作手段の第１の操作状態に基づき、前記走行道路上の交差点についてのリストを表示または音声にて出力し、該操作手段の第２の操作状態により前記リストの中から所定の走行道路上の交差点が選択されると前記提供手段は該所定の走行道路上の交差点の詳細情報を提供するものである。
【手続補正１２】
【補正対象書類名】明細書
【補正対象項目名】００１５
【補正方法】変更
【補正の内容】
【００１５】
また、前記交差点は、前記表示手段に表示された交差点の位置に予め目印が表示されるものである。
【手続補正１３】
【補正対象書類名】明細書
【補正対象項目名】００１６
【補正方法】変更
【補正の内容】
【００１６】
また、前記交差点に関する詳細な地図は、前記車両の位置から該交差点までの距離、該交差点の名称、該交差点のレーン状況等を含むものである。